(57)【要約】第１のアスペクト比を有するビデオ画像フレームを、異なるアスペクト比を有する画像フレームを生じさせるようフォーマットすることは、フォーマットのために画像捕捉ウィンドウを定義するパン・アンド・スキャン画素座標を画像中に確定することによって容易とされる。予測器は、画像フレーム中の最も関係のある活動の場所を決定するよう画像フレームを調べることによりパン・アンド・スキャン画素座標を決定する。予測器は、ビデオデータ、オーディオデータ、及びクローズドキャプション情報のうちの少なくとも１つを調べることにより最も関連のある活動の場所を決定する。
2005526467.tif 000002
【特許請求の範囲】
【請求項１】
第１のアスペクト比を有する画像をフォーマットし第２のアスペクト比を有する画像を生じさせるのに有用な画像捕捉ウィンドウを定義するパン・アンド・スキャン画素座標を確定する方法であって、
入来画像フレームを、その中の最も関連のある活動の場所を確かめるために調べる段階と、
前記入来画像フレーム中の前記最も関連のある活動の前記場所に従って前記パン・アンド・スキャン画素座標を確定する段階とを有する方法。
【請求項２】
前記画像フレームはビデオ画像を含む、請求項１記載の方法。
【請求項３】
前記ビデオ画像中の前記最も関連のある活動の場所は、前記ビデオ画像がＭＰＥＧ符号化されている場合は、Ｉピクチャ、Ｐピクチャ及びＢピクチャ中のマクロブロックの座標に従って確かめられる、請求項２記載の方法。
【請求項４】
前記ビデオ画像中の前記最も関連のある活動の場所は、前記ビデオ画像がＭＰＥＧ符号化されている場合は、当該ＭＰＥＧ符号化に関連する動きベクトルが最大の変化を示す場所から確かめられる、請求項２記載の方法。
【請求項５】
前記ビデオ画像中の前記最も関連のある活動の場所は、前記画像中で画素値が最大のビットレートを示す場所から確かめられる、請求項２記載の方法。
【請求項６】
前記画像フレームを調べる段階は、それに関連付けられるオーディオデータを調べる段階を含む、請求項１記載の方法。
【請求項７】
前記オーディオデータを調べる段階は、前記画像データ内の当該オーディオデータの源に関連付けられる場所を決定する段階を含む、請求項６記載の方法。
【請求項８】
前記オーディオデータを調べる段階は、前記画像フレーム中の最大の音の大きさに関連付けられる場所を決定する段階を含む、請求項６記載の方法。
【請求項９】
前記オーディオデータを調べる段階は、前記画像内のサラウンド音の発生点に関連する場所を決定する段階を含む、請求項６記載の方法。
【請求項１０】
前記画像を調べる段階は、クローズドキャプション情報が前記画像中のどこに現れるかを決定する段階を含む、請求項１記載の方法。
【請求項１１】
前記画像を調べる段階は、画像に関連付けられるビデオデータ、オーディオデータ、及び他のデータを調べる段階を含む、請求項１記載の方法。
【請求項１２】
前記パン・アンド・スキャン画素座標（Ｐ）は、以下の式、
Ｐ＝Ｘ１＊Ｆ（Ｖ）＋Ｘ２＊Ｆ（Ａ）＋Ｘ３＊Ｆ（Ｄ）
に従ってビデオ、オーディオ、及び他のデータから決定され、式中、
Ｘ１＝ビデオデータに割り当てられた重み係数（０＜Ｘ１＜１）；
Ｘ２＝オーディオデータに割り当てられた重み係数（０＜Ｘ２＜１）；
Ｘ３＝他のデータに割り当てられた重み係数（０＜Ｘ３＜１）；
Ｆ（Ｖ）＝ビデオデータを用いて予測される座標；
Ｆ（Ａ）＝オーディオデータを用いて予測される座標；
Ｆ（Ｄ）＝他のデータを用いて予測される座標；
であり、Ｘ１＋Ｘ２＋Ｘ３＝１である、請求項１１記載の方法。
【請求項１３】
前記他のデータはクローズドキャプション情報を含む、請求項１１記載の方法。
【請求項１４】
画像を第１のアスペクト比から第２のアスペクト比へフォーマットするのに有用な画像捕捉ウィンドウを定義するパン・アンド・スキャン画素座標を確定する装置であって、
画像フレームをその中の最も関連のある活動の場所を確かめるために調べる手段と、
前記画像中の前記最も関連のある活動の前記場所に従って前記パン・アンド・スキャン画素座標を確定する手段とを有する装置。
【請求項１５】
前記調べる手段は、前記画像に関連付けられるビデオデータ、オーディオデータ、及び他のデータのうちの少なくとも１つを調べる、請求項１４記載の装置。
【請求項１６】
前記決定する手段は、前記パン・アンド・スキャン画素座標（Ｐ）を、以下の式、
Ｐ＝Ｘ１＊Ｆ（Ｖ）＋Ｘ２＊Ｆ（Ａ）＋Ｘ３＊Ｆ（Ｄ）
に従って決定し、式中、
Ｘ１＝ビデオデータに割り当てられた重み係数（０＜Ｘ１＜１）；
Ｘ２＝オーディオデータに割り当てられた重み係数（０＜Ｘ２＜１）；
Ｘ３＝他のデータに割り当てられた重み係数（０＜Ｘ３＜１）；
Ｆ（Ｖ）＝ビデオデータを用いて予測される座標；
Ｆ（Ａ）＝オーディオデータを用いて予測される座標；
Ｆ（Ｄ）＝他のデータを用いて予測される座標；
であり、Ｘ１＋Ｘ２＋Ｘ３＝１である、請求項１５記載の装置。
【請求項１７】
第１のアスペクト比を有する入来画像フレームを第２のアスペクト比を有するフォーマット済み画像フレームを生じさせるようフォーマットする方法であって、
前記画像フレーム内で、前記画像中の最も関連のある活動に関連付けられる場所と実質的に一致するパン・アンド・スキャン画素座標を確定する段階と、
前記入来画像フレームをフォーマットしてフォーマット済み画像フレームを生じさせるよう、前記パン・アンド・スキャン画素場所を中心とする画像捕捉ウィンドウで前記入来画像フレームをパン及びスキャンする段階とを含む、方法。
【請求項１８】
前記画像フレーム中の前記最も関連のある活動を有する場所は、前記画像フレームに関連付けられるビデオデータ、オーディオデータ、及び他のデータのうちの少なくとも１つを調べることによって決定される、請求項１７記載の方法。
【請求項１９】
前記パン・アンド・スキャン画素座標（Ｐ）は、以下の式、
Ｐ＝Ｘ１＊Ｆ（Ｖ）＋Ｘ２＊Ｆ（Ａ）＋Ｘ３＊Ｆ（Ｄ）
に従って決定され、式中、
Ｘ１＝ビデオデータに割り当てられた重み係数（０＜Ｘ１＜１）；
Ｘ２＝オーディオデータに割り当てられた重み係数（０＜Ｘ２＜１）；
Ｘ３＝他のデータに割り当てられた重み係数（０＜Ｘ３＜１）；
Ｆ（Ｖ）＝ビデオデータを用いて予測される座標；
Ｆ（Ａ）＝オーディオデータを用いて予測される座標；
Ｆ（Ｄ）＝他のデータを用いて予測される座標；
であり、Ｘ１＋Ｘ２＋Ｘ３＝１である、請求項１８記載の方法。
【請求項２０】
第１のアスペクト比を有する入来画像フレームを第２のアスペクト比を有するフォーマット済み画像フレームを生じさせるようフォーマットする装置であって、
前記画像フレーム内で、前記画像フレーム内の最も関連のある活動に関連付けられる場所と実質的に一致するパン・アンド・スキャン画素座標を確定する手段と、
前記入来画像フレームをフォーマットしてフォーマット済み画像フレームを生じさせるよう、前記パン・アンド・スキャン画素場所を中心とする画像捕捉ウィンドウで前記入来画像フレームをパン及びスキャンする手段とを含む、装置。
【請求項２１】
前記確定する手段は、前記画像フレームに関連付けられるビデオデータ、オーディオデータ、及び他のデータのうちの少なくとも１つを調べることにより、前記画像フレーム中の前記最も関連のある活動を有する場所を定める、請求項２０記載の装置。
【請求項２２】
前記確定する手段は、前記パン・アンド・スキャン画素座標（Ｐ）を、以下の式、
Ｐ＝Ｘ１＊Ｆ（Ｖ）＋Ｘ２＊Ｆ（Ａ）＋Ｘ３＊Ｆ（Ｄ）
に従って確定し、式中、
Ｘ１＝ビデオデータに割り当てられた重み係数（０＜Ｘ１＜１）；
Ｘ２＝オーディオデータに割り当てられた重み係数（０＜Ｘ２＜１）；
Ｘ３＝他のデータに割り当てられた重み係数（０＜Ｘ３＜１）；
Ｆ（Ｖ）＝ビデオデータを用いて予測される座標；
Ｆ（Ａ）＝オーディオデータを用いて予測される座標；
Ｆ（Ｄ）＝他のデータを用いて予測される座標；
であり、Ｘ１＋Ｘ２＋Ｘ３＝１である、請求項２１記載の方法。
【発明の詳細な説明】
【技術分野】
【０００１】
［関連出願への相互参照］
本願は、ここに参照として組み入れられる２００２年５月２０日出願の「ＶＩＤＥＯ  ＩＭＡＧＥ  ＦＯＲＭＡＴＴＩＮＧ  ＴＥＣＨＮＩＱＵＥ」なる名称の米国非仮出願第１０／１５１，５９９号に基づいて優先権を主張する非仮出願である。
【０００２】
［技術分野］
本発明は、異なる寸法での処理のため、又は、表示装置上での表示のために、ビデオ画像の寸法をフォーマットする技術に関連する。
【背景技術】
【０００３】
歴史的に見ると、アメリカ合衆国の米国テレビジョンシステム委員会（ＮＴＳＣ）はテレビジョン画像用にアスペクト比４：３を採用したが、これは、それ以前に映画産業で、視聴者は高さよりも幅のほうが大きい矩形の画像を好むことを割り出した後、映画にアスペクト比４：３を採用していたためである。米国以外の全世界のテレビジョン規格機構もまた、アスペクト比４：３を採用した。グランド・アライアンス（Ｇｒａｎｄ  Ａｌｌｉａｎｃｅ）によって提案され、非特許文献１に記載されているような高精細度地上波放送方式といった高精細度テレビジョンの出現により、コンテンツプロバイダは、今日では、ワイドスクリーンのテレビジョン表示装置上での表示のために１６：９のアスペクト比を有する高精細度テレビジョン番組を提供する。
【０００４】
高精細度ワイドスクリーンテレビジョン表示装置の市場が成長し続ける一方で、４：３アスペクト比を有する画像を表示することだけができる標準テレビジョン表示装置という大きなしっかりと組み込まれた基盤が残っている。４：３アスペクト比を有する画像を表示することのみができるテレビジョン表示装置上に表示するために１６：９アスペクト比を有するワイドスクリーンビデオ画像をフォーマットするのを容易とするよう、ワイドスクリーンコンテンツのプロバイダは、しばしば、画像のフォーマット変換を「パン・アンド・スキャン」動作で可能とするよう個々のフレーム内の画素座標を符号化する。同様に、今後１６：９アスペクト比の表示装置のしっかりと組み込まれた基盤が大きくなったときは、４：３アスペクト比の時代からのビデオコンテンツは最終的には放送され続ける。従って、同様に、１６：９アスペクト比を有するビデオ画面に当てはまるよう４：３アスペクト比の画像をクロップする必要性がある。
【０００５】
「パン・アンド・スキャン」という用語は、ディジタルワイドスクリーンビデオ画像フレーム中で一定の寸法のウィンドウを捕捉するよう、ウィンドウ内の画素（ピクセル）の行をパンし、その後に続くパン動作を開始するよう次の行を有効にスキャンすること等を行う、周知の技術を指すものとする。上述のように、パン・アンド・スキャン・フォーマット動作に関連する画像捕捉ウィンドウは、規定の寸法を有する。従って、一般的には「パン・アンド・スキャン画素座標」と称される単一の画素座標が、かかるウィンドウを定義する。実際には、パン・アンド・スキャン画素座標は、ウィンドウの中心を定義する。パン・アンド・スキャン画素座標のために確定される場所は、フォーマット後にワイドスクリーン画像のどの部分が残るかに影響を与える。例えば、パン・アンド・スキャン画素座標の場所をワイドスクリーン画像の中心に確定すると、一般的には、画像の縁に生ずるいかなる活動も含まないフォーマット済み画像が与えられる。このような問題点を回避するために、ビデオ画像コンテンツの一部のプロバイダは、フォーマット動作を容易とするためにパン・アンド・スキャン画素座標を埋め込む。しかしながら、ビデオ画像コンテンツはダイナミックであるため、かかるコンテンツプロバイダは、しばしば、忠実なフォーマット動作を可能とするために各連続する画像フレーム中にパン・アンド・スキャン画素座標を埋め込まねばならない。かかるパン・アンド・スキャン画素座標を与えることは、非常に退屈な作業であることがわかっているため、実際にこれを行うのは僅かなコンテンツプロバイダのみである。
【非特許文献１】１９９４  米国放送事業者協会、第４８回年次放送技術会議議事録、１９９４年３月２０日〜２４日
【発明の開示】
【発明が解決しようとする課題】
【０００６】
従って、従来技術の不利点を克服する、パン・アンド・スキャン画素座標を自動的に確定する技術が必要とされる。
【課題を解決するための手段】
【０００７】
概して、本発明の原理によれば、画像フレーム中に、画像フレームを第１のアスペクト比（即ち第１の寸法）から第２のアスペクト比（即ち第２の寸法）へフォーマットするための画像捕捉ウィンドウを定義する画素座標（即ち「パン・アンド・スキャン」画素座標）を確定する方法が提供される。方法に従って、画像フレーム中の最も関連のある活動の場所を確かめるために画像フレームが調べられる。画像フレーム中最も関連のある活動の場所を確定するために、幾つかの可能な技術が存在する。例えば、ＭＰＥＧ符号化されたビデオ画像フレームの場合、Ｉピクチャ、Ｐピクチャ、及びＢピクチャ中の最も大きい変化を示すマクロブロックに関連する座標、又は、最も大きい変化を示す動きベクトルの場所は、画像中の最も関連のある活動の座標を定めうる。或いは、ビデオ画像フレーム中の最も大きい変化率を示すビットレートの場所もまた、最も関連のある活動の場所を構成しうる。ビデオデータのみに依存するのではなくむしろ、画像内の音源に関連する音、音の効果、又はサラウンドサウンドに対応するオーディオデータもまた最も関連のある活動の場所を確定しうる。ビデオデータ及び／又はオーディオデータを使用することの代わりに、又は、これに加えて、画像内のクローズドキャプション情報の場所といった他のデータもまた、画像内の最も関連のある活動の場所を確定しうる。実際、画像中の最も関連のある活動の場所は、ビデオデータ、オーディオデータ、及び他のデータの加重和によって与えられうる。画像中の最も関連のある活動の場所を確定した後、パン・アンド・スキャン画素座標は、その場所が画像中の最も関連のある活動の場所と一致するよう確定される。
【０００８】
本発明の他の面によれば、第１のアスペクト比を有する画像を、第２のアスペクト比を有する画像を生じさせるようフォーマットする技術が提供される。方法によれば、パン・アンド・スキャン画素座標が確定され、即ち、画像中の最も関連のある場所に従って座標の位置が決められる。実際には、テレビジョン画像については、画像中の最も関連のある活動の場所を生じさせるよう、ビデオ画像データ、オーディオデータ、及び／又は、他のデータのうちの１つ又はそれ以上のそれ以上の組合せが処理される。パン・アンド・スキャン画素座標は、画像中の最も関連のある活動の場所と一致するよう配置される。パン・アンド・スキャン画素座標は、パン・アンド・スキャン・フォーマット動作と共に使用されたときに、所望のアスペクト比を有する画像の捕捉を容易とする画像捕捉ウィンドウの位置を定義する。
【発明を実施するための最良の形態】
【０００９】
図１は、ワイドスクリーンテレビジョン表示装置（図示せず）上に表示するための１６：９アスペクト比を有する典型的なワイドスクリーンビデオ画像フレーム１０を示す図である。画像フレーム１０上には、標準テレビジョン表示装置（図示せず）上に表示するための４：３アスペクト比を有する「標準」フレーム画像に対応する寸法を有する第２の画像フレーム１２が重ね合わされる。フォーマットをしなければ、ワイドスクリーン画像フレーム１０は、単純に、標準テレビジョンディスプレイ装置上に表示するには大きすぎる。従って、ワイドスクリーンビデオ画像フレーム１０は、標準寸法のビデオ画像１２を生じさせるためにフォーマット動作を受けねばならない。
【００１０】
標準寸法（４：３アスペクト比）のビデオ画像フレーム１２を生じさせるためにワイドスクリーンビデオ画像フレーム１０をフォーマットするために存在する様々な技術の一つに、「パン・アンド・スキャン（ｐａｎ  ａｎｄ  ｓｃａｎ）」技術がある。パン・アンド・スキャン技術は、標準画像フレーム１２と寸法が同じである画像捕捉ウィンドウを確定することにより、ワイドスクリーン画像フレーム（即ち、画像フレーム１０）のフォーマットを可能とする。画像捕捉ウィンドウ中の画素の各行は連続的にパンされ、その後、続くパン動作のために画素の次の行へジャンプするためにスキャン動作が行われる。パン・アンド・スキャン・フォーマット動作に関連付けられる画像捕捉ウィンドウは一定の寸法を有するため、以下「パン・アンド・スキャン画素座標」と称する単一の画素座標がウィンドウを定義しうる。実際には、パン・アンド・スキャン画素座標は、画像捕捉ウィンドウの中心を定義する。
【００１１】
これまで、ワイドスクリーンビデオ画像コンテンツの一部のプロバイダは、パン・アンド・スキャン技術によるフォーマット動作を容易とするためパン・アンド・スキャン画素座標を埋め込んできた。ワイドスクリーンビデオ画像１０内のコンテンツはダイナミックである傾向があるため、パン・アンド・スキャン画素座標の場所は、フォーマット動作の後に得られる結果の画像がワイドスクリーン画像中の関心となるコンテンツを忠実に反映するよう変化せねばならない。或る場合には、パン・アンド・スキャン座標は各フレーム毎に変化する必要があり、そのため、パン・アンド・スキャン画素座標を与えるのに時間と手間がかかるため、多くのコンテンツプロバイダはパン・アンド・スキャン画素座標を与えない。
【００１２】
図２は、パン・アンド・スキャン・フォーマット動作により、例えば図１のワイドスクリーン画像１０といった画像のフォーマット動作を容易とするためにパン・アンド・スキャン画素座標を自動的に確定する本発明の原理による装置２０を示す図である。装置２０は、画像内の最も関連のある活動の場所に従って画像に対するパン・アンド・スキャン画素座標を決定する役割を果たす予測器２２を含む。予測器２２は、一般的には、１つ又はそれ以上のビデオデータ、オーディオデータ、又はクローズドキャプションデータといった他のデータを処理し、当該データから、画像内の最も関連のある活動の場所を確定するプロセッサ、ディジタル信号プロセッサ（ＤＳＰ）、或いは、プログラマブル・アレイ・ロジック（ＰＡＬ）やフィールド・プログラマブル・ゲート・アレイ（ＦＰＧＡ）といった固定論理アレイ、又は、かかる要素の組合せを含む。画像内の最も関連のある活動の場所についての知識から、パン・アンド・スキャン画素座標は当該場所に一致するよう確定される。
【００１３】
例えば、ＭＰＥＧ符号化されたビデオデータの場合、予測器２２は、Ｉピクチャ、Ｐピクチャ、及びＢピクチャ中のマクロブロックの座標に従ってパン・アンド・スキャン画素座標を確定しうる。或いは、ＭＰＥＧ符号化されたビデオ画像データの場合、予測器２２は、動きベクトルが最大の変化を示す場所に従ってパン・アンド・スキャン画素座標を確定しうる。更なる他のアプローチによれば、予測器２２は、画像内の最も高いビットレートを有する画素の場所に従ってパン・アンド・スキャン画素座標を確定しうる。
【００１４】
予測器２２は、パン・アンド・スキャン画素座標を決定するために、ビデオデータを使用するのではなく、オーディオデータを使用しうる。例えば、予測器２２は、画像内の、音の場所（左又は右）又は最大の大きさを有する音の効果の場所に対応する最も関連のある活動の場所を決定するために、ディジタル及び／又はアナログオーディオデータを使用しうる。予測器２２はまた、画像内の最も関連のある活動の場所を決定するため、又は当該の場所に一致するようパン・アンド・スキャン画素座標を確定するために、サラウンドサウンド（中央、左、右、又は、サラウンド左／右）の場所を使用しうる。
【００１５】
予測器２２はまた、画像内の最も関連のある活動の場所を決定するために、クローズドキャプション情報の座標といった他のデータを使用しうる。一般的には、クローズドキャプション情報は、ビデオ画像中に、その人の話している言葉がクローズドキャプション中に文字として現れている一人又は複数の人の近くに現れる。従って、クローズドキャプション情報の座標は、通常は画像中の最も関連のある活動の場所の良い予測を与える。
【００１６】
実際は、予測器２２は、画像中の最も関連のある活動の場所を決定し、従ってパン・アンド・スキャン画素座標を確定するために、一般的にはビデオデータ、オーディオデータ、及び他のデータの組合せを使用する。このために、予測器２２は、パン・アンド・スキャン画素座標Ｐを確定するために以下の式、
Ｐ＝Ｘ１＊Ｆ（Ｖ）＋Ｘ２＊Ｆ（Ａ）＋Ｘ３＊Ｆ（Ｄ）                      （１）
を使用し、式中、
Ｘ１＝ビデオデータに割り当てられた重み係数（０＜Ｘ１＜１）；
Ｘ２＝オーディオデータに割り当てられた重み係数（０＜Ｘ２＜１）；
Ｘ３＝他のデータに割り当てられた重み係数（０＜Ｘ３＜１）；
Ｆ（Ｖ）＝ビデオデータを用いて予測される座標；
Ｆ（Ａ）＝オーディオデータを用いて予測される座標；
Ｆ（Ｄ）＝他のデータを用いて予測される座標；
であり、
Ｘ１＋Ｘ２＋Ｘ３＝１                                                    （２）
である。重み係数Ｘ１、Ｘ２、及びＸ３は、経験的に決定されうる。
【００１７】
予測器２２の出力Ｐ（即ち、パン・アンド・スキャン画素座標）は、ビデオ画像に対してパン・アンド・スキャン・フォーマット動作を行う能力を有するエンコーダ、デコーダ、又は他の装置の形を取りうるビデオプロセッサ２４へ渡される。換言すれば、プロセッサ２４は、パン・アンド・スキャン画像捕捉ウィンドウの場所を決定するために予測器２２によって確定されるパン・アンド・スキャン画素座標を使用する。パン・アンド・スキャン画像捕捉ウィンドウの位置を確定した後、プロセッサ２４は、ビデオ画像を所望のアスペクト比へフォーマットしうる。実際には、プロセッサ２４は、例えば、米国マサチューセッツ州のマルボロのＭｅｄｉａ  １００社から入手可能な「Ｍｅｄｉａ  １００  ＣｉｎｅＳｔｒｅａｍ」ソフトウエア、又は、米国ロードアイランド州プロビデンスのＭａｔｈｅｍａｔｉｃａｌ  Ｔｅｃｈｎｏｌｏｇｉｅｓ社から入手可能な（登録商標）ＭＩＴ  ＩｎｔｅｌｌｉＤｅｃｋソフトウエアといった幾つかの周知のビデオ編集プログラムのうちの１つでプログラムされたコンピュータの形をとりうる。
【００１８】
実際は、装置２０によって受信される入来ビデオデータ内のフレームは、ワイドスクリーンビデオ画像データに対応する１６：９アスペクト比を有し、プロセッサ２４は、４：３アスペクト比を有する画像を生じさせるようパン・アンド・スキャン・フォーマット動作を実行する。しかしながら、入来ビデオデータ内のフレームは、標準及び追加の画像幅を有するビデオ画像から得られたムービーの場合のように、５．５：３又は７：３といった他のアスペクト比を有しうる。実際に、入来ビデオ画像データ内のフレームは、４：３アスペクト比を有してもよく、プロセッサ２４は、アスペクト比を１６：９へ変更するよう画像フレームをクロップするために、予測器２２で予測された画素座標に従ってパン・アンド・スキャン動作を実行しうる。
【００１９】
上述したことは、ビデオ画像のフレーム内で、画像のアスペクト比を変更するために画像をフォーマットするために画像捕捉ウィンドウを定めるパン・アンド・スキャン画素座標を確定する技術を説明するものである。
【００２０】
本発明の技術を、生成後の活動について、即ち既に元々捕捉されている画像フレームのフォーマットについて説明したが、技術は生成前の活動にも適用される。実際に、予測器２０は、他のアスペクト比のための続く編集に先立ってパン・アンド・スキャン画素座標を生じさせるために「生」のビデオ画像データを容易に処理しうる。
【図面の簡単な説明】
【００２１】
【図１】ワイドスクリーンビデオ画像のフレームを示す図である。
【図２】図１の画像のフォーマットを容易とするためにパン・アンド・スキャン画素座標の場所を定める本発明の原理による装置の概略ブロック図を示す図である。
【図１】
2005526467.tif 000003
【図２】
2005526467.tif 000004
【国際調査報告】
2005526467.tif 000005